(57)【特許請求の範囲】
【請求項１】
上ケースと、下ケースと、画像表示部及び操作ボタンを有するプリント基板ユニットとを備えるテレビドアホン本体ユニットと、前記テレビドアホン本体ユニットの表面を覆って前記操作ボタンが貫通する孔を有する薄板形状のパネルと、前記パネルを前記テレビドアホン本体ユニットに固定する固定部材とを備え、前記テレビドアホン本体ユニットは、前記固定部材を挿入するための天面部分が小判形状のボスを有し、前記パネルは、前記固定部材の頭部が入り込む凹所と、この凹所内に前記ボスの天面部分が貫通する小判形状の孔とを有し、前記パネルを前記固定部材で前記テレビドアホン本体ユニットに固定する際に、前記凹所よりも微かに高い位置に前記ボスの天面がくるように前記ボスが形成され、前記ボスの小判形状のストレート部において前記パネルを前記固定部材の頭部で押えることにより、前記上ケース表面から前記パネルを前記テレビドアホン本体ユニットに固定するように構成したことを特徴とするテレビドアホン装置。
【発明の詳細な説明】
【０００１】
【発明の属する技術分野】
本発明は、画像表示部を有し、来客などの訪問を音声だけでなく画面上で視覚的にも確認することができるテレビドアホン装置に関するものである。
【０００２】
【従来の技術】
従来、玄関の外壁面や門柱などの室外側に設置して訪問する来客が室内の居住者などと話ができる室外機と、室内側に設置して来客などと音声での通話及び画面で確認が行える室内機とで構成されるテレビドアホンが各種開発されており、このテレビドアホンの室内機として、例えば図６に示すような構成のものが知られている。
【０００３】
即ち、このテレビドアホンの室内機１００は、主に、上ケース１０１と、下ケース１０２と、画像表示部１０３を有するプリント基板ユニット１０４と、それらを固定するネジ１０５とにより構成されており、ネジ１０５は下ケース１０２側からそれらを固定するようになっている。また、画像表示部１０３の前面をパネルで覆う場合には、上ケース１０１に両面テープなどによる接着や、溶接による溶着などを施してパネルを固定している。
【０００４】
ところで、通常、上記した従来のテレビドアホンの室内機においては、ケースの外観は、例えば白色無地などの１種類に固定されている場合が大部分であり、オプションが用意されていても、せいぜい多くても２、３種類のタイプに限られている。
【０００５】
【発明が解決しようとする課題】
ところが、近年、生活の質の向上と共に人々の嗜好形態などが多様化し、これに合わせてライフスタイルも多様化してきており、例えばテレビドアホンを設置する部屋の趣味などに合わせて或いはユーザの好みに合わせて、ケースの外観についても各種の個性的な柄、模様、或いは色などを選びたいという要求が強まってきている。
【０００６】
また、ケースの色などを一度選択して使用し続けてきたテレビドアホンであっても、長期間使用するうちに、或いは室内のリフォームなどに合わせて、ユーザの好みが当初とは変わり、テレビドアホンのケースも模様替えしたいという要求も起こってきており、これらの要求に合わせて各種幅広く変更できるようなオプションが可能となるものの開発が切望されている。
【０００７】
また、従来のテレビドアホンの室内機にあっては、例えばパネルや上ケースの各種オプションが仮に十分な種類用意されているとしても、このパネルなどを交換しようとするには、ネジを外し、機器内部を露出させるといった面倒で複雑な作業が必要であり、ユーザが自己の好みに合わせて、容易に本体やパネルの色やデザインを各種変更することができないという問題を有していた。
【０００８】
本発明は、上記従来の問題を解決するもので、ユーザが好みに合わせて、パネルを容易に交換することができるテレビドアホン装置を提供することを目的とする。
【０００９】
【課題を解決するための手段】
この発明のテレビドアホン装置は、上ケースと、下ケースと、画像表示部及び操作ボタンを有するプリント基板ユニットとを備えるテレビドアホン本体ユニットと、前記テレビドアホン本体ユニットの表面を覆って前記操作ボタンが貫通する孔を有する薄板形状のパネルと、前記パネルを前記テレビドアホン本体ユニットに固定する固定部材とを備え、前記テレビドアホン本体ユニットは、前記固定部材を挿入するための天面部分が小判形状のボスを有し、前記パネルは、前記固定部材の頭部が入り込む凹所と、この凹所内に前記ボスの天面部分が貫通する小判形状の孔とを有し、前記パネルを前記固定部材で前記テレビドアホン本体ユニットに固定する際に、前記凹所よりも微かに高い位置に前記ボスの天面がくるように前記ボスが形成され、前記ボスの小判形状のストレート部において前記パネルを前記固定部材の頭部で押えることにより、前記上ケース表面から前記パネルを前記テレビドアホン本体ユニットに固定するように構成したことを特徴としている。
【００１０】
これにより、テレビドアホン本体ユニットだけで、テレビドアホンの機能を満足しており、例えば、このテレビドアホン本体ユニットの表面全体に、画像表示部を除く全体に印刷を施した薄板形状のパネルを配し、このパネルに設けられた凹所内の小判形状の孔とテレビドアホン本体ユニットの小判形状のボスの天面部分とを合わせて、このボスの小判形状のストレート部においてパネルを固定部材の頭部で押えることにより、パネルを上ケース側から固定部材で固定する構造とすることで、一般ユーザが、好みに合わせてパネルの色を選択し、パネルを破損させることなく交換することができるという作用を有する。
【００１９】
【発明の実施の形態】
以下、本発明の実施の形態について、添付図面を参照しながら詳細に説明する。
［第１の実施の形態］
図１は、この発明の第１の実施の形態に係るテレビドアホンの室内機を示すものであり、このテレビドアホンの室内機は、大略構成として、本体ユニット１（以下、これを「テレビドアホン本体ユニット」とよぶ）と、パネル２とを備えている。
【００２０】
このうち、このテレビドアホン本体ユニット１は、大略、上ケース１１と、下ケース１２と、画像表示部１３ａを有するプリント基板ユニット１３とから構成されており、これらはネジ１４で下ケース１２側から固定されている。
【００２１】
そして、このテレビドアホン本体ユニット１の表面全体に薄板形状のパネル２が配設されている。このパネル２の基材は透明であり、テレビドアホン本体ユニット１と接触する面には、画像表示部１３ａに対応する窓部２ｗを除く全体に印刷が施されている。またこのパネル２は、四隅の部分を固定部材であるネジ３によって表面側からテレビドアホン本体ユニット１に固定されている。
【００２２】
以上のように構成されたテレビドアホンの室内機について、図１を用いてその動作を説明する。
通常時、テレビドアホンの室内機は、テレビドアホン本体ユニット１と、パネル２と、ネジ３とにより固定された状態で使用されている。
一方、例えば使用者がパネル２を別のパネル４と変更する際には、テレビドアホンの室内機の表面にあるネジ３を外すだけで、パネル２をテレビドアホン本体ユニット１から外すことができる。これにより、色や柄、デザインなどの異なったパネル４をネジ３を使用して取り付ければ、パネルを交換することができる。
【００２３】
以上のように、本発明の実施の形態によれば、テレビドアホンの室内機の表面のネジ３を外すだけで容易にパネル２を交換することができ、使用者が自分の好みに合ったパネル４に簡単に変更することができる。
【００２４】
［第２の実施の形態］
次に、この発明の第２の実施の形態について説明する。なお、この実施の形態において、第１の実施の形態と同一部分には、同一符号を付して重複説明を避ける。
図２は、第２の実施の形態に係るテレビドアホンの室内機を示すものであり、このテレビドアホンの室内機が第１の実施形態と異なるのは、テレビドアホン本体ユニット１の上ケース１１に薄いシート５が配置できる凹形状部１１ａが設けてある点である。また、この実施の形態では、第１の実施の形態に用いたパネル２の窓部２ｗとは異なり、透明な窓部６ｗが窓部２ｗよりも大きく形成されており、シート５が外部から透視できるようになっている。
【００２５】
以上のように構成されたテレビドアホンの室内機について、同図を用いてその動作を説明する。
第１の実施の形態と同様に、この第２の実施の形態でも、同様に、パネル６を容易に取り外すことができるが、上ケース１１に設けてある凹形状部１１ａに使用者が好みに合わせて写真や絵画などのシート５を置くことができる。つまり、凹形状部１１ａに合わせた領域まで印刷がされていない透明な窓部６ｗを有するパネル６を取り付けることで、テレビドアホンの室内機の表面外側から凹形状部１１ａ部分に置いたシート５が表示できることになるわけである。
【００２６】
以上のように本発明の実施の形態によれば、テレビドアホンの室内機の表面のネジ３を外すだけで容易にパネル２（図１参照）を簡単に取り外して、ユーザが自分の好みに合わせて、シート５を挟むことができるオリジナルのパネル６に交換することができる。
【００２７】
［第３の実施の形態］
次に、この発明の第３の実施の形態について説明する。なお、この実施の形態において、第１の実施の形態と同一部分には、同一符号を付して重複説明を避ける。
図３（Ａ）〜（Ｃ）は、第３の実施の形態に係るテレビドアホンの室内機のテレビドアホン本体ユニット１とパネル２の固定部であるネジ締め部の詳細形状を示すものである。このテレビドアホンの室内機が第１の実施形態と異なるのは、下ケース１２のボス１２ａの高さが、同図（Ｂ）に示すように、パネル２の上面側の後述する凹所２ｃよりもΔｔだけ微かに高い位置に設定されている点である。また、同図（Ｃ）に示すように、ボス１２ａの天面部分の外形状は、円形部分から左右両側だけ切り欠かいた略小判形状となっており、このボス１２が貫通するパネル２の孔２ａもそれに対応してストレート部２ｂを有する形状となっている。なお、このパネル２の上面において、孔２ａの周囲には、ネジ３の頭部が入り込むことができるように真円形状に抉られた凹所２ｃを形成している。
【００２８】
以上のように構成されたテレビドアホンの室内機について、その動作を説明する。
第１の実施の形態と同様に、ネジ３によりテレビドアホン本体ユニット１にパネル２を取り付けるが、そのときネジ３は、下ケース１２のボス１２ａの天面で止まり、パネル２にはネジ３の頭部が非接触状態となっており、負荷のかからない状態となる。また、パネル２は、テレビドアホン本体ユニット１から引き外そうとしても、孔２ａに設けたストレート部２ｂがネジ頭部に引っかかることで拘束されており、外れ落ちることはない。
以上のように本発明の実施の形態によれば、ネジ締め部を指定形状にすることで、パネルに負荷をかけず破損させることなく、ネジ固定することができる。
【００２９】
［第４の実施の形態］
次に、この発明の第４の実施の形態について説明する。なお、この実施の形態において、第１の実施の形態と同一部分には、同一符号を付して重複説明を避ける。
図４は、第４の実施の形態に係るテレビドアホンの室内機を示すものであり、このテレビドアホンの室内機が第１の実施形態と異なるのは、上ケース１１の表面に磁気シート１４ａが貼付されていると点と、パネル２の裏面には磁気シート１４ｂが貼付されている点であり、ネジは使用していない。従って、この実施形態のパネル２（後述するパネル４も同様）の四隅にはネジ孔は設けておらず、また下ケース１２にもボスを設けていない。
【００３０】
以上のように構成されたテレビドアホンの室内機について、図４を用いてその動作を説明する。
第１の実施の形態と同様に、パネル２を容易に取り外すことができるが、その際、テレビドアホン本体ユニット１とパネル２とは磁気シート１４ａ及び１４ｂの磁力のみによって固定されているため、使用者はパネル２を引っ張るだけで、取り外すことができる。
【００３１】
以上のように本発明の実施の形態によれば、ネジや工具を使わずに、パネル２を引っ張るだけで容易にパネル２を色や柄、デザインなどの異なった別のパネル４に交換することができ、使用者が自分の好みに合ったパネルにすることができる。
【００３２】
［第５の実施の形態］
次に、この発明の第５の実施の形態について説明する。なお、この実施の形態において、第１の実施の形態と同一部分には、同一符号を付して重複説明を避ける。
図５は、第５の実施の形態に係るテレビドアホンの室内機を示すものであり、このテレビドアホンの室内機が第１の実施形態と異なるのは、上ケース１１の上面が開口されてパネル２の内面との間に縦断面略凹形状の空間を形成した収納部１１ｂが設けてある点である。なお、パネル２は、第１の実施の形態で説明したように、透明基材で形成されているが、上ケース収納部１１ａの後述する領域Ｒ（図５（Ｂ）参照）に対応する部分が印刷されて折らず、外からケース内部が透視できるようになっている。
【００３３】
この収納部１１ｂは、上ケース１１において、画像表示部１３ａ（つまり、窓部２ｗ）に対応する領域を含んだこれよりも大きな領域Ｒをカバーするように形成されており、ここにユーザの好みに合わせた色や柄、デザインなどを有し、領域Ｒに対応する大きさのシート７を自由に抜き差し交換させて収納できるように構成されている。
【００３４】
以上のように構成されたテレビドアホンの室内機について、図５を用いてその動作を説明する。
この実施の形態のテレビドアホンの室内機によれば、図２に示す第２の実施の形態と同様に、シート７を容易に交換することができる。しかも、この実施の形態では、特に、上ケース１１の収納部１１ｂはテレビドアホン本体ユニット１の上面まで延びて上部が開口されており、パネル２をわざわざ取り外さなくても、シート７はテレビドアホン本体ユニット１とパネル２が固定された状態で直接外部から抜き差しすることができる。
【００３５】
以上のように本発明の第５の実施の形態によれば、テレビドアホンの室内機の表面のネジ３を外さずに容易にシート７を交換することができ、ユーザが自分の好みに合わせてオリジナルのパネルに作り上げることができる。
【００３６】
【発明の効果】
以上説明してきたように、本発明は、パネルをテレビドアホンの室内機のケース表面から容易に取り外しでき、パネルに設けられた凹所内の小判形状の孔とテレビドアホン本体ユニットの小判形状のボスの天面部分とを合わせて、このボスの小判形状のストレート部においてパネルを固定部材の頭部で押えることにより、パネルを上ケース側から固定部材で固定するので、ユーザ自身が随時自分の好みに合わせてパネルを破損させることなく簡単に交換できるという効果が得られる。
【図面の簡単な説明】
【図１】本発明の第１の実施の形態に係るテレビドアホンの室内機の構成を示す分解斜視図である。
【図２】本発明の第２の実施の形態に係るテレビドアホンの室内機の構成を示す分解斜視図である。
【図３】本発明の第３の実施の形態に係るテレビドアホンの室内機の構成を示すものであって、（Ａ）はテレビドアホンの室内機のネジ締め部を示す要部拡大正面図、（Ｂ）は（Ａ）におけるＢ−Ｂ線矢視断面図、（Ｃ）は（Ａ）においてネジを外した状態を示す要部拡大正面図である。
【図４】本発明の第４の実施の形態に係るテレビドアホンの室内機の構成を示す分解斜視図である。
【図５】本発明の第５の実施の形態に係るテレビドアホンの室内機の構成を示すものであって、（Ａ）は平面図、（Ｂ）は説明図である。
【図６】従来のテレビドアホンの室内機の構成を示す分解斜視図である。
【符号の説明】
１      テレビドアホン本体ユニット
１１    上ケース
１１ａ  （上ケースの）凹形状部
１１ｂ  （上ケースの）収納部
１２    下ケース
１２ａ  （下ケースの）ボス
１３    プリント基板ユニット
１３ａ  （プリント基板ユニットの）画像表示部
１４ａ  （上ケースの）磁気シート
１４ｂ  （パネルの）磁気シート
２      パネル
２ａ    （パネルの）孔
２ｂ    （パネルの孔の）ストレート部
２ｗ    窓部
３      ネジ（固定部材)
４      （色やデザインの異なる）パネル
５      シート
６      （窓部を拡大させた色やデザインの異なる）パネル
６ｗ    窓部
７      （上面から抜き差し可能な）シート
Ｒ      収納部の形成領域
Δｔ    （下ケースのボスとパネルの凹所との）高低差
【図１】
0004024082.tif 000002
【図２】
0004024082.tif 000003
【図３】
0004024082.tif 000004
【図４】
0004024082.tif 000005
【図５】
0004024082.tif 000006
【図６】
0004024082.tif 000007